(57)【要約】【課題】収納ケースを取り外す際の使い勝手をよくするとともに、ロック装置の不具合を防止する。【解決手段】載置台１と収納ケース３を着脱自在に結合するロック装置５に、前記載置台の長辺側の側面に設けたロック部６と、前記ロック部に係合するロック体７と、前記収納ケースの外面に外方へ可動自在に設けて前記ロック体を操作する操作釦８と、前記操作釦を前記載置台側へ付勢するロックばね９と、前記操作釦の上端部に設けた爪部８ａと、前記爪部を前記収納ケースの側面に外方から挿入する孔部１０を設け、前記爪部は、前記収納ケースの前記孔部近傍の外面側に当接する第１の当接部１１と、前記収納ケースの前記孔部近傍の内面側に当接する第２の当接部１２を形成したものである。【選択図】図４
2011130866.tif 000002
【特許請求の範囲】
【請求項１】
アイロンを載置する載置台と、前記アイロンを包囲し、かつ、前記載置台で下方開口が閉じられる収納ケースと、前記載置台と前記収納ケースとを着脱自在に結合するロック装置とを具備し、前記ロック装置は、前記載置台の長辺側の側面に設けたロック部と、前記ロック部に係合するロック体と、前記収納ケースの外面に外方へ可動自在に設けて前記ロック体を操作する操作釦と、前記操作釦を前記載置台側へ付勢するロックばねと、前記操作釦の上端部に設けた爪部と、前記爪部を前記収納ケースの側面に外方から挿入する孔部を有し、前記爪部は、前記収納ケースの前記孔部近傍の外面側に当接する第１の当接部と、前記収納ケースの前記孔部近傍の内面側に当接する第２の当接部を形成したアイロン収納ケース。
【請求項２】
ロックばねに収納ケースからの脱落を防止する引っ掛かり部を設け、前記引っ掛かり部の下端が前記収納ケースの受け部に当接するまで変位したとき、操作釦の爪部が前記収納ケースの内面に係合された状態を維持するようにした請求項１記載のアイロン収納ケース。
【請求項３】
ロックばねの引っ掛かり部の下端から収納ケースの受け部までの距離をａ、第２の当接部が収納ケースの内面と重合する長さをｂとしたとき、ａ＜ｂとなるように設定した請求項２記載のアイロン収納ケース。
【発明の詳細な説明】
【技術分野】
【０００１】
本発明は、アイロンを収納するアイロン収納ケースに関するものである。
【背景技術】
【０００２】
従来、アイロンを収納保管するアイロン収納ケースは、アイロンを載置する載置台と、前記アイロンを包囲し、かつ、前記載置台で下方開口が閉じられる収納ケースと、前記載置台と前記収納ケースとを着脱自在に結合するロック装置を備えたものが一般的であり、収納ケースを持ち上げて運搬するときは、載置台と収納ケースを結合するロック装置が解除されないようにすることが考えられている（例えば、特許文献１参照）。
【０００３】
特許文献１に記載されたアイロン収納ケースは、収納ケースを載置台から取り外すときに、操作釦を押し下げてロック装置を解除するようにしたものであり、収納ケースを上方へ持ち上げて取り外す方向と逆の方向へ操作釦を押し下げてから、押し下げた状態で収納ケースを上方へ持ち上げるものであり、不用意にロック装置が解除されないという利点がある反面、収納ケースを載置台から取り外す際のロック解除操作がおこないにくく、使い勝手が悪いという問題があった。
【０００４】
そこで、不用意にロック装置が解除されることなく、収納ケースを取り外す際のロック解除操作を容易にすることが考えられている（例えば、特許文献２参照）。
【０００５】
図９は、特許文献２に記載された従来のアイロン収納ケースのロック装置を示したものである。図９に示すように、収納ケース５１に操作釦５２を可動的に設け、この操作釦５２に係合溝５３と上方へ突出した爪部５４を有するロック体５５を設け、ロックばね５６により操作釦５２を解錠操作方向（矢印イ方向）と逆の方向へ付勢する。一方、載置台５７にロック体５５の係合溝５３と上下方向に所定の遊びをおいて係合するロック部５８を設け、収納ケース５１を上方へ持ち上げたとき、収納ケース５１と載置台５７との相対的離反方向動作に応動して、ロック体５５の係合溝５３にロック部５８が嵌入し、ロック体５５の矢印イ方向への解錠方向移動を阻止するようにしたものである。
【０００６】
収納ケース５１を載置台５７から取り外すときは、ロックばね５６の付勢力に抗して操作釦５２を矢印イ方向へ操作すると、収納ケース５１の外側面に当接している操作釦５２がロックばね５６を圧縮し、ロック体５５が載置台５７から離れる方向へ変位して、ロック装置５９が解除される。すなわち、ロックを解除する操作釦５２の外側への変位操作に続けて収納ケース５１を上方へ持ち上げることができるものである。
【０００７】
また、他の例のアイロン収納ケースは、載置台の側面に下方に突出した爪部を設けるとともに、ケースの内側面に載置台の爪部が上方から嵌入できる溝部を形成し、ケースの上方への移動によって爪部が溝部に係合するようにしたものがある（例えば、特許文献３参照）。
【先行技術文献】
【特許文献】
【０００８】
【特許文献１】特開平１−１５３１８９号公報
【特許文献２】特開平７−１２４３９７号公報
【特許文献３】特開平８−８９６９９号公報
【発明の概要】
【発明が解決しようとする課題】
【０００９】
しかしながら、前記従来の構成では、操作釦５２が収納ケース５１の外側面に露出して設けられており、収納ケース５１の外側面に操作釦５２を当接し、ロックばね５６により内方へ可動自在に付勢したものであるため、運搬時に不測の外的衝撃が収納ケース５１に加わると、瞬間的に収納ケース５１が弾性変形し、ロックばね５６で付勢されている操作釦５２の位置が変位して、所定の位置からずれて動作に不具合が生じるという問題があった。
【００１０】
運搬時に起り得る不測の外的衝撃は、収納ケース５１に加わる場合が多く、操作釦５２が所定の位置からずれることにより、ロック体５５の解錠方向移動を阻止するロック部５８と爪部５４を損傷させる。また、収納ケース５１の外側面に露出している操作釦５２に外的衝撃が直接加わると、損傷の程度が大きくなる。
【００１１】
収納ケース５１は、重いアイロンを収納し、使用後は熱いまま収納できるように、堅牢で衝撃にも強く、良好な弾性を有する耐熱性の熱可塑性合成樹脂、例えば、ＡＢＳ樹脂等で形成されるのが一般的である。ロック装置５９に不具合が生じるメカニズムは、外的衝撃を受けたときに生じる収納ケース５１の弾性変形は瞬時に復元されるのに対し、操作釦５２はロックばね５６によって収納ケース５１に可動自在であり、衝撃によって所定の位置からずれた状態で保持されることによる。使用後の熱いアイロンを収納した場合は、収納ケース５１内部の温度が上昇し収納ケース５１も温められて弾性変形し易くなる。
【００１２】
したがって、載置台と収納ケースをロック装置により着脱自在に結合し、収納ケースを持って運搬するアイロン収納ケースでは、収納ケースを取り外す際のロック解除操作を容易にすることと、運搬時に不測の外的衝撃が加わったとき際のロック装置の不具合を防止することを両立させることが課題であった。
【００１３】
本発明は、前記従来の課題を解決するもので、収納ケースを取り外す際の使い勝手をよくするとともに、ロック装置の不具合を防止したアイロン収納ケースを実現することを目的としている。
【課題を解決するための手段】
【００１４】
前記従来の課題を解決するために、本発明のアイロン収納ケースは、載置台と収納ケースとを着脱自在に結合するロック装置を具備し、前記ロック装置は、前記載置台の長辺側の側面に設けたロック部と、前記ロック部に係合するロック体と、前記収納ケースの外面に外方へ可動自在に設けて前記ロック体を操作する操作釦と、前記操作釦を前記載置台側へ付勢するロックばねと、前記操作釦の上端部に設けた爪部と、前記爪部を前記収納ケースの側面に外方から挿入する孔部を有し、前記爪部に、前記収納ケースの前記孔部近傍の外面側に当接する第１の当接部と、前記収納ケースの前記孔部近傍の内面側に当接する第２の当接部を形成したものである。
【００１５】
これによって、操作釦の外側への変位操作に続けて収納ケースを上方へ持ち上げることができ、ロック解除操作を容易におこなうことができるとともに、収納ケースに外的衝撃が加わった際は、孔部に挿入した爪部によって操作釦を所定の位置に保持することができ、ロック装置の不具合を防止することができる。
【発明の効果】
【００１６】
本発明のアイロン収納ケースは、ロック解除操作を容易におこなうことができるとともに、外的衝撃によるロック装置の不具合を防止することができる。
【図面の簡単な説明】
【００１７】
【図１】本発明の第１の実施の形態におけるアイロン収納ケースの一部切欠側面図
【図２】同アイロン収納ケースの上面図
【図３】同アイロン収納ケースのロック装置の下面図
【図４】同アイロン収納ケースの図３のＡ−Ａ断面図
【図５】同アイロン収納ケースの作用図
【図６】同アイロン収納ケースの図５のＢ矢視図
【図７】同アイロン収納ケースのロック装置の拡大断面図
【図８】本発明の第２の実施の形態におけるアイロン収納ケースのＣ−Ｃ断面図
【図９】従来のアイロン収納ケースのロック装置の要部断面図
【発明を実施するための形態】
【００１８】
第１の発明は、アイロンを載置する載置台と、前記アイロンを包囲し、かつ、前記載置台で下方開口が閉じられる収納ケースと、前記載置台と前記収納ケースとを着脱自在に結合するロック装置とを具備し、前記ロック装置は、前記載置台の長辺側の側面に設けたロック部と、前記ロック部に係合するロック体と、前記収納ケースの外面に外方へ可動自在に設けて前記ロック体を操作する操作釦と、前記操作釦を前記載置台側へ付勢するロックばねと、前記操作釦の上端部に設けた爪部と、前記爪部を前記収納ケースの側面に外方から挿入する孔部を有し、前記爪部は、前記収納ケースの前記孔部近傍の外面側に当接する第１の当接部と、前記収納ケースの前記孔部近傍の内面側に当接する第２の当接部を形成したことにより、収納ケース内に収納されているアイロンを取り出すときに、操作釦を収納ケースの外側面から外方へ変位する操作に続けて、収納ケースを上方へ持ち上げることができ、ロック解除操作を容易におこなうことができるとともに、収納ケースのハンドルを把持して運搬している時等に外的衝撃が加わった際は、孔部に挿入した爪部によって操作釦を所定の位置に保持することができ、衝撃による操作釦の位置ずれをなくしてロック装置の不具合を防止することができる。すなわち、収納ケースの取り外し時に操作釦を解錠方向へ操作するときは、第１の当接部により収納ケースが外方へ弾性変形するのを押圧し、ロックばねを圧縮して操作釦を的確に変位させることができるとともに、解除された収納ケースを上方へ持ち上げる時は、第２の当接部により収納ケースを外方へ弾性変形させる方向に変化し、ロック体がロック部から外れるまでと、外れてからの収納ケースに作用する方向を連続的に変化させることができるものである。
【００１９】
第２の発明は、特に、第１の発明のロックばねに収納ケースからの脱落を防止する引っ掛かり部を設け、前記引っ掛かり部の下端が前記収納ケースの受け部に当接するまで変位したとき、操作釦の爪部が前記収納ケースの内面に係合された状態を維持するようにしたことにより、外的衝撃による操作釦の下方への変位を規制し、操作釦の爪部が収納ケースの孔部から脱落するのを防止することができる。
【００２０】
第３の発明は、特に、第２の発明のロックばねの引っ掛かり部の下端から収納ケースの受け部までの距離をａ、第２の当接部が収納ケースの内面と重合する長さをｂとしたとき、ａ＜ｂとなるように設定したことにより、外的衝撃により操作釦が下方へ変位してロックばねの引っ掛かり部の下端が収納ケースの受け部に当接したとき、第２の当接部が収納ケースの内面に係合された状態を維持することができ、操作釦の爪部が収納ケースの孔部から脱落するのを防止することができる。
【００２１】
以下、本発明の実施の形態について、図面を参照しながら説明する。なお、本実施の形態によって本発明が限定されるものではない。
【００２２】
（実施の形態１）
図１は、本発明の第１の実施の形態におけるアイロン収納ケースの一部切欠側面図、図２は、同アイロン収納ケースの上面図、図３は、同ロック装置の下面図、図４は、図３の
Ａ−Ａ断面図、図５は、同アイロン収納ケースの作用図、図６は、図５のＢ矢視図、図７は、同アイロン収納ケースのロック装置の拡大断面図である。
【００２３】
図１〜図７において、載置台１は、アイロン２のかけ面２ａを下向きにして前上がりに傾斜させて載置する。収納ケース３は、例えばＡＢＳ樹脂等の耐熱性の熱可塑性樹脂で成型されており、載置台１上に載置したアイロン２を上方から包囲し、載置台１で下方の開口３ａが閉じられるように被せる。収納ケース３の上部には、運搬時に把持するハンドル４を起倒自在に設けている。載置台１と収納ケース３は、長辺側、すなわち、載置したアイロン２の前後方向の両側面に対向して配設し、下端の開口３ａ近傍に一対設けたロック装置５により着脱自在に結合する。
【００２４】
ロック装置５は、載置台の長辺側の両側面に一対設けたロック部６と、ロック部６に下方から係合するロック体７と、収納ケース３の長辺側の両側外面に外方へ可動自在に操作釦８を設けている。ロック体７は操作釦８の下部に一体的に形成され、ロック部６と係合するように収納ケース３の内面より載置台１側へ突出している。
【００２５】
ロックばね９は、略Ｕ字状に折り曲げて形成しその一端を操作釦８にねじ止めして操作釦８を載置台１側へ付勢している。操作釦８の上端部に設けた爪部８ａは、収納ケース３の側面に設けた孔部１０に外方から挿入されている。爪部８ａは、孔部１０近傍の外面側に当接する第１の当接部１１と、孔部１０近傍の内面側に当接する第２の当接部１２が設けてあり、収納ケース３に設けた孔部１０内で上部に位置している。
【００２６】
ロックばね９の先端部近傍には、外側へ下向きに切り起こして形成した引っ掛かり部９ａが設けてあり、収納ケース３に設けたばね保持部１３へ下方から挿入されると、収納ケース３に設けた受け部１４に嵌入し、操作釦８が下方へ変位すると引っ掛かり部９ａの下端が受け部１４に当接し、収納ケース３からの脱落を防止するとともに、操作釦８の爪部８ａに設けた第２の当接部１２が孔部１０によって収納ケース３の内面に係合された状態を維持するように構成している。
【００２７】
そして、第２の当接部１２と収納ケース３の内面が重合する長さが、ロックばね９に設けた引っ掛かり部９ａの下端から、収納ケース３の受け部１４までの距離より大きくなるようにしている。すなわち、ロックばね９の引っ掛かり部９ａの下端から収納ケース３の受け部１４までの距離をａ、第２の当接部１２と収納ケース３の内面が重合する長さをｂとしたとき、ａ＜ｂとなるように設定している。
【００２８】
上記構成において、以下、その動作、作用を説明する。まず、収納ケース３を取り外すときは、アイロン収納ケースが置かれた状態にして、操作釦８をロックばね９の付勢力に抗して矢印イ方向へ操作すると、それに連動してロック体７も変位する。このとき、ロック部６の下端はロック体７の先端部に設けた上方へ突出する突部７ａの上端より上方に位置しているため、ロック体７はロックばね９の付勢力に抗して矢印イ方向へ回動し、ロック部６との係合が解除される。したがって、そのままの状態で収納ケース３を上方へ持ち上げることによって載置台１から離脱することができる。
【００２９】
操作釦８を矢印イ方向へ操作するときは、孔部１０に操作釦８の上端部に設けた爪部８ａを挿入し、第１の当接部１１を孔部１０近傍の外面側に当接しているため、操作釦８の下端を矢印イ方向へ操作するときに、収納ケース３の外方への弾性変形を押圧することができ、操作釦８の操作を的確におこなうことができる。
【００３０】
また、第２の当接部１２を孔部１０近傍の内面側に当接しているため、操作釦８の下端を矢印イ方向へ操作すると、ロックばね９の圧縮に続いて収納ケース３を外方へ弾性変形
させることができ、載置台１からの離脱を容易にすることができる。
【００３１】
すなわち、収納ケース３の取り外し時に操作釦８を解錠方向へ操作するときは、第１の当接部１１により収納ケース３が外方へ弾性変形するのを押圧し、ロックばね９を圧縮して操作釦８を的確に変位させることができるとともに、解除された収納ケース３を上方へ持ち上げる時は、第２の当接部１２により収納ケース３を外方へ弾性変形させる方向に変化し、ロック体７がロック部６から外れるまでと、外れてからの収納ケース３に作用する方向を連続的に変化させることができるものであり、操作釦８のロック解除操作を容易におこなうことができる。
【００３２】
次に、アイロンがけ作業が終了し、アイロン２を収納するときは、アイロン２を載置台１上に載置し、アイロン２を上方から覆うように収納ケース３を被せて徐々に下方へ下げていくと、ロックばね９の付勢力に抗してロック体７がロック部６と係合する。載置台１と収納ケース３の結合時は、操作釦８がロックばね９によって載置台１側へ付勢され、ロック体７がロック部６に係合された状態を維持する。
【００３３】
このようにして、収納ケース３と載置台１が結合されたアイロン収納ケースを運搬するときは、収納ケース３の上部に設けられたハンドル４を持って持ち上げると、収納ケース３とともにロック体７が上方向へ移動し、ロック体７がロック部６に下方から係合して載置台１が持ち上げられるとともに、突部７ａの上端がロック部６の下端より上方へ移動し、係合離脱を防止してロック体７が矢印イ方向へ回動するのを規制する。
【００３４】
以上のように構成された本発明のアイロン収納ケースは、収納ケース３内に収納されているアイロン２を取り出すときに、操作釦８を収納ケース３の外側面から外方へ変位する操作に続けて、収納ケース３を上方へ持ち上げることができ、ロック解除操作を容易におこなうことができるとともに、収納ケース３のハンドル４を把持して運搬している時等に外的衝撃が加わった際は、孔部１０に挿入した爪部８ａによって操作釦８の位置がずれることなく、所定の位置に保持することができ、衝撃による操作釦８の位置ずれをなくしてロック装置５に不具合が生じるのを防止することができる。
【００３５】
これにより、収納ケース３を取り外す際のロック解除操作の容易化と、運搬時に不測の外的衝撃が加わったときに生じるロック装置５の不具合の解消とを両立させることができる。
【００３６】
また、ロックばね９に収納ケース３からの脱落を防止する引っ掛かり部９ａを設け、この引っ掛かり部９ａの下端が収納ケース３の受け部１４に当接するまで変位したとき、操作釦８の爪部８ａが収納ケース３の内面に係合された状態を維持するようにしてあり、外的衝撃による操作釦８の下方への変位を規制し、操作釦８の爪部８ａが収納ケース３の孔部１０から脱落することがなく、操作釦８の位置ずれを防止することができる。
【００３７】
また、ロックばね９の引っ掛かり部９ａの下端から、収納ケース３の受け部１４までの距離をａ、第２の当接部１２が収納ケース３の内面と重合する長さをｂとしたとき、ａ＜ｂとなるように設定してあり、外的衝撃により操作釦８が下方へ変位し、ロックばね９の引っ掛かり部９ａの下端が収納ケース３の受け部１４に当接した場合でも、第２の当接部１２が収納ケース３の内面に係合された状態を維持することができ、操作釦８の爪部８ａが収納ケース３の孔部１０から脱落することがなく、操作釦８の位置ずれを防止することができる。
【００３８】
また、操作釦８が下方へ変位し、ロックばね９の引っ掛かり部９ａの下端が収納ケース３の受け部１４に当接した場合でも、爪部８ａが挿入されている孔部１０下縁と、爪部８
ａの下端との間に間隙が形成されるように構成してあり、外的衝撃による爪部８ａの損傷も防止することができる。
【００３９】
（実施の形態２）
図８は、本発明の第２の実施の形態におけるアイロン収納ケースのロック装置を示したものであり、図３のＣ−Ｃ断面図である。本実施の形態の特徴は、載置台１のロック部６近傍に係合穴１５を設けるとともに、この係合穴１５に対向して収納ケース３に係合部１６を設け、係合穴１５は、ロックばね９の長手方向の両側に配設されたロック体７の外側に形成され、収納ケース３の装着時に係合部１６が係合穴１５に挿入されるようにしたものである。他の構成は第１の実施の形態と同じであり、詳細な説明は第１の実施の形態のものを援用する。
【００４０】
上記構成によれば、収納ケース３内に収納されているアイロン２を取り出すときに、操作釦８を収納ケース３の外側面から外方へ変位する操作に続けて、収納ケース３を上方へ持ち上げることができ、ロック解除操作を容易におこなうことができるとともに、収納ケース３のハンドル４を把持して運搬している時等に外的衝撃が加わった際は、係合穴１５に挿入した係合部１６によりロック体７の外側で緩衝することができ、その内側に位置するロック体７に加わる衝撃を緩和して操作釦８を所定の位置に保持することができ、衝撃による操作釦８の位置ずれをなくしてロック装置５の不具合を防止することができる。
【００４１】
また、ロック装置５は、係合部１６が係合穴１５に挿入された状態で、係合部１６が係合穴１５内を内側、すなわち、載置台１側へ変位可能な空間部１７が設けてあり、収納ケース３と一体に形成された係合部１６が空間部１７内で内側へ弾性変形することにより衝撃を吸収することができ、衝撃による係合部１６およびロック体７の損傷を軽減することができる。
【００４２】
また、収納ケース３の外面に、操作釦８の外周縁部がその内側に嵌合する凹状の嵌合部１８を設けてあり、多方向からの衝撃を操作釦８の外周縁部で分散させることができ、衝撃によるロック体７の損傷を軽減することができる。
【００４３】
また、ロック装置５は、係合部１６を操作釦８の外周縁部の内方に設けてあり、多方向からの衝撃を操作釦８の内側と外側で分散させることができ、衝撃によるロック体７の損傷を軽減することができる。
【００４４】
なお、本発明のアイロン収納ケースは、アイロンの後部を下にした自立状態で収納するものでもよく、また、載置台にアイロンを載置して給電するコードレスアイロンのほか、アイロンに直接電源コードが接続されているコード付アイロンのいずれでも実施可能である。
【００４５】
なお、各実施の形態は、適宜組み合わせて実施可能であり、各実施の形態の一部を組み合わせることができる。
【産業上の利用可能性】
【００４６】
以上のように、本発明にかかるアイロン収納ケースは、ロック解除操作を容易におこなうことができるとともに、外的衝撃によるロック装置の不具合を防止することができるので、アイロン収納ケースとして有用である。
【符号の説明】
【００４７】
１  載置台
３  収納ケース
５  ロック装置
６  ロック部
７  ロック体
８  操作釦
８ａ  爪部
９  ロックばね
１０  孔部
１１  第１の当接部
１２  第２の当接部
１５  係合穴
１６  係合部
【図１】
2011130866.tif 000003
【図２】
2011130866.tif 000004
【図３】
2011130866.tif 000005
【図４】
2011130866.tif 000006
【図５】
2011130866.tif 000007
【図６】
2011130866.tif 000008
【図７】
2011130866.tif 000009
【図８】
2011130866.tif 000010
【図９】
2011130866.tif 000011